(57)【要約】【課題】無線ネットワークによって構築されたアドホックネットワークにデバイスを接続する場合、該アドホックネットワークよりも狭い通信エリアを持つ近距離無線通信を使用し、自動で接続許可を得る通信システムにおいて、セキュリティを向上させる。【解決手段】通信装置は、第１の通信範囲内で第１の通信方式を用いて無線通信を行う第１の通信部と、第２の通信範囲内で第２の通信方式を用いて無線通信を行う第２の通信部と、第１の通信部による他の通信装置との確立された通信を切断する切断処理部とを有し、第２の通信部は、第１の通信方式による通信を確立するための設定情報を受信し、第１の通信部は、設定情報を受信した他の通信装置との間で第１の通信方式を用いて無線通信を行い、切断処理部は、他の通信装置が第２の通信範囲内に位置しない状態となってから第１の時間閾値の時間が経過した場合、第１の通信部による他の通信装置との確立された通信を切断する。【選択図】図６
2016158002.tif 000002
【特許請求の範囲】
【請求項１】
第１の通信範囲内で第１の通信方式を用いて無線通信を行う第１の通信部と、
第２の通信範囲内で第２の通信方式を用いて無線通信を行う第２の通信部と、
前記第１の通信部による他の通信装置との確立された通信を切断する切断処理部と、
を有し、
前記第２の通信部は、前記第１の通信方式による通信を確立するための設定情報を受信し、
前記第１の通信部は、前記設定情報を受信した他の通信装置との間で前記第１の通信方式を用いて無線通信を行い、
前記切断処理部は、前記他の通信装置が前記第２の通信範囲内に位置しない状態となってから第１の時間閾値の時間が経過した場合、前記第１の通信部による前記他の通信装置との確立された通信を切断する、通信装置。
【請求項２】
前記切断処理部は、前記第２の通信方式にしたがって送信される情報を受信しない場合に前記第２の通信範囲内に位置しないと判断する、請求項１に記載の通信装置。
【請求項３】
前記第２の通信範囲は、前記第１の通信範囲に包含される、請求項１または２に記載の通信装置。
【請求項４】
前記切断処理部は、前記第１の通信部により第２の時間閾値の間無線通信が行われない場合、前記第１の通信部による前記他の通信装置との確立された通信を切断する、請求項１ないし３のいずれか１項に記載の通信装置。
【請求項５】
前記切断処理部は、前記通信装置に対する操作が第３の時間閾値の間ない場合、前記第１の通信部による前記他の通信装置との確立された通信を切断する、請求項１ないし３のいずれか１項に記載の通信装置。
【請求項６】
前記切断処理部は、前記通信装置のアプリケーションが第４の時間閾値の間使用されていない場合、前記第１の通信部による前記他の通信装置との確立された通信を切断する、請求項１ないし３のいずれか１項に記載の通信装置。
【請求項７】
前記切断処理部は、ユーザによって切断する処理が行われた場合に、前記第１の通信部による前記他の通信装置との確立された通信を切断する、請求項１に記載の通信装置。
【請求項８】
前記切断処理部は、前記第２の通信範囲内に位置しない状態となってから第５の時間閾値の時間が経過したときに前記第２の通信範囲内に位置しない場合に、前記第１の通信部による前記他の通信装置との確立された通信を切断する、請求項１ないし３のいずれか１項に記載の通信装置。
【請求項９】
第１の通信範囲内で第１の通信方式を用いて無線通信を行う第１の通信部と、第２の通信範囲内で第２の通信方式を用いて無線通信を行う第２の通信部とを有する通信装置によって実行される通信方法であって、
前記第２の通信部によって前記第１の通信方式による通信を確立するための設定情報を受信し、
前記第１の通信部によって前記設定情報を受信した他の通信装置との間で前記第１の通信方式を用いて無線通信を行い、
前記他の通信装置が前記第２の通信範囲内に位置しない状態となってから第１の時間閾値の時間が経過した場合、前記第１の通信部による前記他の通信装置との確立された通信を切断する、通信方法。
【発明の詳細な説明】
【技術分野】
【０００１】
本発明は、通信システムに関する。
【背景技術】
【０００２】
無線ＬＡＮなどの無線ネットワークによって構築されたアドホックネットワークにデバイスを接続する場合、該アドホックネットワークよりも狭い通信エリアを持つ近距離無線通信を使用し、自動で接続許可を得るための認証を行う技術が知られている。
【０００３】
無線ＬＡＮアクセスポイントによって送信されるビーコンを取得できない場合に、該アクセスポイントによる無線電波範囲から離れたと判断し、新たなアクセスポイントと接続する技術が知られている（例えば、特許文献１参照）。
【発明の概要】
【発明が解決しようとする課題】
【０００４】
デバイスは、近距離無線通信の通信エリアから退出する際には無線ＬＡＮとの間の通信を切断する。しかし、近距離無線通信の通信エリアから退出する際にデバイスは、近距離無線通信によって送信される無線ＬＡＮとの間の通信を切断する指示を受信することができない場合がある。無線ＬＡＮとの間の通信を切断する指示を受信できない場合には、デバイスによって無線ＬＡＮとの間の通信を切断する処理が行われないため、デバイスと無線ＬＡＮとの間で接続が行われたままとなる。このため、デバイスは、無線ＬＡＮを経由して機器にアクセスすることが可能となり、仮にそのデバイスが悪意のある者に使用されている場合には、セキュリティ上問題がある。
【０００５】
本発明は、無線ネットワークによって構築されたアドホックネットワークにデバイスを接続する場合、該アドホックネットワークよりも狭い通信エリアを持つ近距離無線通信を使用し、自動で接続許可を得る通信システムにおいて、セキュリティを向上させることを目的とする。
【課題を解決するための手段】
【０００６】
開示の一実施例の通信装置は、
第１の通信範囲内で第１の通信方式を用いて無線通信を行う第１の通信部と、
第２の通信範囲内で第２の通信方式を用いて無線通信を行う第２の通信部と、
前記第１の通信部による他の通信装置との確立された通信を切断する切断処理部と、
を有し、
前記第２の通信部は、前記第１の通信方式による通信を確立するための設定情報を受信し、
前記第１の通信部は、前記設定情報を受信した他の通信装置との間で前記第１の通信方式を用いて無線通信を行い、
前記切断処理部は、前記他の通信装置が前記第２の通信範囲内に位置しない状態となってから第１の時間閾値の時間が経過した場合、前記第１の通信部による前記他の通信装置との確立された通信を切断する。
【発明の効果】
【０００７】
開示の実施例によれば、無線ネットワークによって構築されたアドホックネットワークにデバイスを接続する場合、該アドホックネットワークよりも狭い通信エリアを持つ近距離無線通信を使用し、自動で接続許可を得る通信システムにおいて、セキュリティを向上させることができる。
【図面の簡単な説明】
【０００８】
【図１】一実施の形態に係る無線通信システムの構成例を示す図である。
【図２】一実施の形態に係る第１の無線通信装置、および第２の無線通信装置のハードウェア構成例を示す図である。
【図３】一実施の形態に係る第３の無線通信装置のハードウェア構成例を示す図である。
【図４】一実施の形態に係る無線通信システムの動作を示すシーケンスチャートである。
【図５】一実施の形態に係る無線通信システムの動作を示すシーケンスチャートである。
【図６】一実施の形態に係る無線通信システムを示す機能ブロック図である。
【図７】一実施の形態に係る無線通信システムの動作を示すフローチャートである。
【図８】一変形例に係る無線通信システムの構成例を示す図である。
【発明を実施するための形態】
【０００９】
次に、本発明を実施するための形態を、以下の実施例に基づき図面を参照しつつ説明する。以下で説明する実施例は一例に過ぎず、本発明が適用される実施の形態は、以下の実施例に限られない。
なお、実施例を説明するための全図において、同一機能を有するものは同一符号を用い、繰り返しの説明は省略する。
【００１０】
＜概要＞
＜無線通信システム＞
本実施の形態に係る無線通信システムは、無線ＬＡＮ(Local Area Network)などの第1の無線通信方式によって通信を行う第1の無線通信エリア内に、無線ＰＡＮ(Personal Area Network)などの第２の無線通信方式によって第1の無線通信エリアよりも狭い第２の無線通信エリアの無線ネットワークを形成する。無線ＬＡＮおよび無線ＰＡＮに対応するデバイスは、無線ＰＡＮに進入した際に、無線ＰＡＮから送信される無線ＬＡＮに設定されている認証情報、設定情報などのセットアップ情報を取得する。該デバイスは、無線ＰＡＮから取得した認証情報、設定情報などのセットアップ情報を使用して、無線ＬＡＮに接続する。また、デバイスは、無線ＰＡＮから退出した際に、無線ＬＡＮとの間の通信を切断する処理を行う。つまり、デバイスは、無線ＬＡＮの第1の無線通信エリアのうち、無線ＰＡＮの第２の無線通信エリアと重複する限定した無線通信エリアで、無線ＬＡＮを介した通信ができる。
【００１１】
図１は、本実施の形態に係る無線通信システムを示す。本実施の形態に係る無線通信システムは、第１の無線通信装置１００と、第２の無線通信装置２００と、第３の無線通信装置３００ａ−３００ｃとを有する。以下、第３の無線通信装置３００ａ−３００ｃのうち任意の第３の無線通信装置は、「第３の無線通信装置３００」と表す。
【００１２】
第１の無線通信装置１００は、アクセスポイント、無線基地局などに搭載でき、無線ＬＡＮなどの第１の無線通信方式によって第１の無線通信エリア１５０を形成する。第２の無線通信装置２００は、アクセスポイント、無線基地局などに搭載でき、第１の無線通信エリア１５０内に、ブルートゥース（登録商標）などの近距離無線通信などの第２の無線通信方式によって該第１の無線通信エリア１５０よりも狭い第２の無線通信エリア２５０を形成する。図１に示される例では、第２の無線通信エリア２５０は、第１の無線通信エリア１５０に包含される。
【００１３】
第３の無線通信装置３００は、スマートフォン、タブレット端末、携帯ゲーム機、ノード型ＰＣなどの携帯可能な通信装置に搭載でき、第１の無線通信装置１００、及び第２の無線通信装置２００との間で無線通信ができる。ただし、第３の無線通信装置３００ａ−３００ｃは、第１の無線通信エリア１５０と第２の無線通信エリア２５０の重複する重複エリアに位置する場合に、第２の無線通信装置２００によって送信される第１の無線通信装置１００と接続する際に使用する認証情報、設定情報などのセットアップ情報を取得できる。セットアップ情報を取得した第３の無線通信装置３００ａ−３００ｃは、該セットアップ情報を使用して第１の無線通信装置１００との間で接続処理を行うことができる。
【００１４】
図１に示される例では、第２の無線通信エリア２５０は、第１の無線通信エリア１５０に包含されるため、重複エリアは第２の無線通信エリア２５０と同じエリアである。第３の無線通信装置３００ａ、および３００ｂは、重複エリアに位置するため、第２の無線通信装置２００によって送信されるセットアップ情報を取得でき、該セットアップ情報を使用して第１の無線通信装置１００との間で接続処理を行うことができる。第３の無線通信装置３００ｃは、第１の無線通信エリアに位置するが重複エリアに位置しないため、第２の無線通信装置２００によって送信されるセットアップ情報を取得できず、第１の無線通信装置１００との間で接続処理を行うことができない。
【００１５】
以下、一例として、第１の無線通信方式に無線ＬＡＮを適用し、第２の無線通信方式にブルートゥース(登録商標)を適用した場合について説明する。第２の無線通信方式に、非接触無線(NFC: Near  Field  Communications)、超音波通信等を適用するようにしてもよい。また、無線通信装置３００は、ＱＲコード（登録商標）を利用して、該ＱＲコードを読み取ることによってセットアップ情報を取得するようにしてもよい。
【００１６】
＜実施の形態のハードウェア構成＞
次に、本実施の形態のハードウェア構成を説明する。図２は、本実施の形態に係る第１の無線通信装置１００、および第２の無線通信装置２００のハードウェア構成例を示す。図２に示されているように、本実施の形態の第１の無線通信装置１００は、第１の無線通信方式の規格にしたがってアンテナを介して無線信号を送受信する第１の通信回路１０２と、第１の無線通信装置１００全体の動作を制御する第１のＣＰＵ(Central Processing Unit)１０４とを備える。また、第１の無線通信装置１００は、第１のＣＰＵ１０４の駆動に用いられる第１の無線通信装置用プログラム、送信データ等の各種データを記憶した第１のＲＯＭ(Read Only Memory)１０６を備える。また、第１の無線通信装置１００は、通信ネットワーク２を介してデータ伝送をするための第１のＩ／Ｆ(Interface)１０８と、第１の無線通信装置１００を第１の無線通信方式のアクセスポイントとして動作させる第１の通信制御部１１０とを備える。第１の通信回路１０２、第１のＣＰＵ１０４、第１のＲＯＭ１０６、第１のＩ／Ｆ１０８、および第１の通信制御部１１０は第１のバス１４０によって接続される。第１の無線通信装置用プログラムは、インストール可能な形式又は実行可能な形式のファイルで、記録メディア等の、コンピュータで読み取り可能な記録媒体に記録して流通させるようにしてもよい。
【００１７】
本実施の形態の第２の無線通信装置２００は、第２の無線通信方式の規格にしたがってアンテナを介して無線信号を送受信する第２の通信回路２０２と、第２の無線通信装置２００全体の動作を制御する第２のＣＰＵ２０４とを備える。また、第２の無線通信装置２００は、第２のＣＰＵ２０４の駆動に用いられる第２の無線通信装置用プログラム、送信データ等の各種データを記憶した第２のＲＯＭ２０６を備える。また、第２の無線通信装置２００は、通信ネットワーク２を介してデータ伝送をするための第２のＩ／Ｆ２０８と、第２の無線通信装置２００を第２の無線通信方式のアクセスポイントとして動作させる第２の通信制御部２１０とを備える。第２の通信回路２０２、第２のＣＰＵ２０４、第２のＲＯＭ２０６、第２のＩ／Ｆ２０８、および第２の通信制御部２１０は第２のバス２４０によって接続される。第２の無線通信装置用プログラムは、インストール可能な形式又は実行可能な形式のファイルで、記録メディア等の、コンピュータで読み取り可能な記録媒体に記録して流通させるようにしてもよい。
【００１８】
ここで、第１の無線通信装置１００、および第２の無線通信装置２００を一台の無線通信装置として構成することもできる。この場合、第１のＩ／Ｆ１０８と第２のＩ／Ｆ２０８は通信ネットワーク２を介さずに直接接続された構成となる。
【００１９】
図３は、本実施の形態に係る第３の無線通信装置３００のハードウェア構成例を示す。図３に示されているように、本実施の形態の第３の無線通信装置３００は、第１の無線通信方式の規格にしたがって無線通信を行う第１の無線通信部３０２と、第２の無線通信方式の規格にしたがって無線通信を行う第２の無線通信部３１２とを有する。
【００２０】
第１の無線通信部３０２は、第１の無線通信方式の規格にしたがってアンテナを介して無線信号を送受信する第３の通信回路３０４と、第１の無線通信部３０２全体の動作を制御する第３のＣＰＵ３０６とを備える。また、第１の無線通信部３０２は、第３のＣＰＵ３０６の駆動に用いられる第１の無線通信部用プログラム、送信データ等の各種データを記憶した第３のＲＯＭ３０８と、第２の無線通信部３１２との間でデータ伝送をするための第３のＩ／Ｆ３１０とを備える。第３の通信回路３０４、第３のＣＰＵ３０６、第３のＲＯＭ３０８、および第３のＩ／Ｆ３１０は第３のバス３５０によって接続される。第１の無線通信部用プログラムは、インストール可能な形式又は実行可能な形式のファイルで、記録メディアなどのコンピュータで読み取り可能な記録媒体に記録して流通させるようにしてもよい。
【００２１】
第２の無線通信部３１２は、第２の無線通信方式の規格にしたがってアンテナを介して無線信号を送受信する第４の通信回路３１４と、第２の無線通信部３１２全体の動作を制御する第４のＣＰＵ３１６とを備える。また、第２の無線通信部３１２は、第４のＣＰＵ３１６の駆動に用いられる第２の無線通信部用プログラム、送信データ等の各種データを記憶した第４のＲＯＭ３１８と、第１の無線通信部３０２との間でデータ伝送をするための第４のＩ／Ｆ３２０とを備える。第４の通信回路３１４、第４のＣＰＵ３１６、第４のＲＯＭ３１８、および第４のＩ／Ｆ３２０は第４のバス３５２によって接続される。また、第３のＩ／Ｆ３１０と第４のＩ／Ｆ３２０との間は、バス３５４によって接続される。第２の無線通信部用プログラムは、インストール可能な形式又は実行可能な形式のファイルで、記録メディア等の、コンピュータで読み取り可能な記録媒体に記録して流通させるようにしてもよい。
【００２２】
＜無線通信システムの動作（その１）＞
図４は、本実施の形態に係る無線通信システムにおける接続処理を示す。図４に示される例では、第３の無線通信装置３００ａが、第１の無線通信装置１００との間で接続処理を行うことによって通信を確立する。第３の無線通信装置３００ｂが、第１の無線通信装置１００との間で接続処理を行う場合についても適用できる。
【００２３】
ステップＳ１では、第２の無線通信エリア２５０を形成する第２の無線通信装置２００は、第３の無線通信装置３００ａに、第２の無線通信エリア２５０を示す通信範囲情報を送信する。例えば、第２の無線通信装置２００は、３つのアドバタイズメントチャネルを介してアドバタイズメントパケットを送信することで、周辺機器に対して自機の存在を知らせている。アドバタイズメントパケットには、第２の無線通信エリア２５０を示す通信範囲情報が含まれている。
【００２４】
ステップＳ２では、第３の無線通信装置３００ａは、第２の無線通信装置２００によって送信される通信範囲情報を受信し、該通信範囲情報に対する応答信号を第２の無線通信装置２００に送信する。第３の無線通信装置３００ａは、通信範囲情報を参照することで、第２の無線通信エリア２５０内に位置していることを認識する。
【００２５】
ステップＳ３では、第２の無線通信装置２００は、第３の無線通信装置３００ａによって送信される応答信号を受信すると、第３の無線通信装置３００ａとの間で、ペアリング処理を行う。これにより、第２の無線通信装置２００と第３の無線通信装置３００ａとの間で、第２の無線通信方式によって通信を行うことが可能となる。第２の無線通信装置２００は、第１の無線通信エリア１５０を形成する第１の無線通信装置１００と接続する際に使用するセットアップ情報を第３の無線通信装置３００ａに送信する。例えば、第２の無線通信装置２００は、Ｗｉ−Ｆｉアライアンスで規格化された無線ＬＡＮ接続を容易化するＷＰＳ方式のＰＩＮコード（固有識別情報）などのセットアップ情報を、第２の無線通信方式によって、第３の無線通信装置３００ａに送信する。
【００２６】
ステップＳ４では、第３の無線通信装置３００ａは、第２の無線通信装置２００によって送信されるセットアップ情報を受信すると、該セットアップ情報を使用して、セットアップを指示するセットアップ指示信号を第１の無線通信装置１００に送信する。
【００２７】
ステップＳ５では、第１の無線通信装置１００は、第３の無線通信装置３００ａによって送信されるセットアップ指示信号を受信すると、通信セットアップを行う。ステップＳ６では、第３の無線通信装置３００ａは、通信セットアップを行う。これにより、第１の無線通信エリアと第２の無線通信エリアとが重複する重複エリアにおいて、第３の無線通信装置３００ａと、第１の無線通信装置１００との間で第１の無線通信方式にしたがって通信が確立される。
【００２８】
このように、本実施の形態の無線通信システムでは、第１の無線通信装置１００によって形成される第１の無線通信エリア１５０と、第２の無線通信装置２００によって形成される第２の無線通信エリア２５０の重複エリアに位置する第３の無線通信装置３００は、第２の無線通信装置２００によって送信されるセットアップ情報を取得できる。そして、該第３の無線通信装置３００は該セットアップ情報によって、第１の無線通信装置１００との間でセットアップを行うことができる。これによって、第３の無線通信装置３００は、第１の無線通信装置１００を介して、他の第３の無線通信装置３００との間で通信を行うことができる。
【００２９】
ここで、第１の無線通信装置１００、および第２の無線通信装置２００を一台の無線通信装置として構成した場合、第２の無線通信装置２００から第１の無線通信装置１００にセットアップ指示信号が送信される。
【００３０】
＜無線通信システムの動作（その２）＞
図５は、本実施の形態に係る無線通信システムにおける切断処理を示す。図５に示される例では、第３の無線通信装置３００ａが、第２の無線通信エリア２５０の外に移動した際に、第３の無線通信装置３００ａと第１の無線通信装置１００との間に確立された通信が切断される。図５に示される例では、第３の無線通信装置３００ｂが、第２の無線通信エリア２５０の外に移動した際に、第３の無線通信装置３００ｂと第１の無線通信装置１００との間に確立された通信が切断される場合についても適用できる。
【００３１】
ステップＳ１１では、第２の無線通信エリア２５０を形成する第２の無線通信装置２００は、第３の無線通信装置３００ａに、第２の無線通信エリア２５０を示す通信範囲情報を所定のタイミングで送信する。
【００３２】
ステップＳ１２では、第３の無線通信装置３００ａ、および第２の無線通信装置２００は、ＧＰＳ（Global Positioning System）などの測位装置を有し、それぞれ自機の現在位置を検出している。第３の無線通信装置３００ａは、第２の無線通信装置２００によって送信された通信範囲情報と、測位装置によって検出した現在位置とを比較することによって、第２の無線通信エリア２５０に現在位置があるか否かを判断する。また、第３の無線通信装置３００ａは、第２の無線通信装置２００によって送信される通信範囲情報の受信信号強度(RSSI: Received Signal Strength Indication)を測定し、該受信信号強度を距離に換算する。そして、第３の無線通信装置３００ａは、第２の無線通信装置２００によって送信された通信範囲情報と、受信信号強度を距離に換算したものとを比較することによって、第２の無線通信エリア２５０に現在位置があるか否かを判断するようにしてもよい。第３の無線通信装置３００ａは、第２の無線通信装置２００に第２の無線通信エリア２５０に現在位置があるか否かを表す情報を付帯した応答信号を送信する。
【００３３】
ステップＳ１３では、第２の無線通信装置２００は、第２の無線通信エリア２５０外に現在位置があることを示す応答信号を、第３の無線通信装置３００ａから受信した場合、第２の無線通信装置２００の通信を切断することを指示する切断指示信号を第３の無線通信装置３００ａに送信する。なお、第２の無線通信装置２００の電波の到達エリアは、第２の無線通信エリア２５０よりも広くなるように設定される。このため、第３の無線通信装置３００ａが、第２の無線通信エリア２５０の外に位置することとなっても、第２の無線通信装置２００によって送信される切断指示信号を受信することができる。
【００３４】
ステップＳ１４では、第３の無線通信装置３００ａは、第２の無線通信装置２００によって送信される切断指示信号を受信すると、第１の無線通信装置１００に通信を切断することを指示する切断指示信号を送信する。ステップＳ１５では、第１の無線通信装置１００は、通信を切断する処理を行う。ステップＳ１６では、第３の無線通信装置３００ａは、通信を切断する処理を行う。これにより、第３の無線通信装置３００ａと、第１の無線通信装置１００との間の通信が切断される。
【００３５】
ここで、第１の無線通信装置１００、および第２の無線通信装置２００を一台の無線通信装置として構成した場合には、第２の無線通信装置２００から第１の無線通信装置１００に、通信の切断指示信号が送信される。
【００３６】
このように本実施の形態に係る無線通信システムでは、第１の無線通信装置１００によって形成される第１の無線通信エリア１５０内で、且つ第２の無線通信エリア２５０内に第３の無線通信装置３００ａ−３００ｂの通信を限定できる。このため、第１の無線通信エリア１５０を形成する第１の無線通信装置１００との間で通信を確立する許可を有しない第３の無線通信装置３００に対して、第２の無線通信エリア２５０に位置する間、第１の無線通信装置１００との間で通信を確立させて使用させることができる。
【００３７】
＜第１の実施の形態＞
本実施の形態に係る無線通信システムは、図１を参照して説明した無線通信システムを適用できる。第２の無線通信エリア２５０に位置し、且つ第１の無線通信装置１００と無線通信を行っている第３の無線通信装置３００は、図５に示すステップＳ１１、Ｓ１２の処理を所定のタイミングで行っている。ここで、仮に第２の無線通信エリア２５０を第２の無線通信装置２００によって送信される電波が到達する範囲によって形成されるエリアに近付けた場合を考える。この場合、第２の無線通信エリア２５０に位置し、且つ第１の無線通信装置１００との間で通信を行っている第３の無線通信装置３００は、第２の無線通信エリア２５０の外に退出した場合には、第２の無線通信装置２００によって送信される電波を受信できなくなる。この結果、第３の無線通信装置３００は、通信範囲情報を受信できず、通信範囲情報に対する応答も送信できない。第２の無線通信装置２００は、第３の無線通信装置３００によって送信される応答を受信できないため、第３の無線通信装置３００に切断指示を送信することができない。
【００３８】
また、第２の無線通信エリア２５０を第２の無線通信装置２００によって送信される電波が到達する範囲によって形成されるエリアに近付けた場合には、第３の無線通信装置３００は、通信範囲情報を該第２の無線通信装置２００によって送信される電波の到達する境界近傍で受信する場合がある。この場合、仮に、第３の無線通信装置３００が受信信号強度に基づいて、第２の無線通信エリア２５０に現在位置があるか否かを判断する場合には、周辺温度などの環境の影響によって第３の無線通信装置３００における通信範囲情報の受信信号強度のばらつきが大きくなる場合がある。その結果、第２の無線通信エリア２５０に現在位置があるか否かの判断結果に誤りが生じたり、第３の無線通信装置３００が移動していないにも係わらす、第２の無線通信エリア２５０に現在位置があるか否かの判断が変動する場合がある。
【００３９】
本実施の形態では、第２の無線通信エリア２５０に現在位置があるか否かの判断が変動した場合であっても、接続処理と切断処理とが繰り返し行われることを低減する。
【００４０】
＜本実施の形態の機能構成＞
図６は本実施の形態に係る第１の無線通信装置１００、第２の無線通信装置２００、および第３の無線通信装置３００の機能ブロック図である。
【００４１】
第１の無線通信装置１００は、第１の送受信部１００２と、第１の接続処理部１００４と、第１の切断処理部１００６と、第１の通信制御部１００８とを有している。これら各部は、図２に示されている第１の無線通信装置１００の各構成要素のいずれかが、第１のＲＯＭ１０６に記憶されている第１の無線通信装置用プログラムにしたがった第１のＣＰＵ１０４からの命令によって動作することで実現される機能又は手段である。
【００４２】
＜第１の無線通信装置１００＞
次に、第１の無線通信装置１００の各部を詳細に説明する。第１の無線通信装置１００の第１の送受信部１００２は、図２に示されている第１の通信回路１０２、及び第１のＣＰＵ１０４からの命令によって実現され、第１の無線通信方式によって第３の無線通信装置３００と各種データ（情報）の送受信を行う。
【００４３】
第１の無線通信装置１００の第１の接続処理部１００４は、図２に示されている第１のＣＰＵ１００４からの命令によって実現され、第３の無線通信装置３００によって送信されるセットアップ情報を使用して、第３の無線通信装置３００との間で第１の無線通信方式に基づいて接続処理を行うことによって通信を確立する。
【００４４】
第１の無線通信装置１００の第１の切断処理部１００６は、図２に示されている第１のＣＰＵ１０４からの命令によって実現され、第３の無線通信装置３００によって送信される切断指示にしたがって、第３の無線通信装置３００との間の通信を切断する。
【００４５】
第１の無線通信装置１００の第１の通信制御部１００８は、図２に示されている第１のＣＰＵ１００４、および第１の通信制御部１１０からの命令によって実現され、第１の接続処理部１００４によって接続処理が行われた第３の無線通信装置３００と第１の無線通信装置１００との間で第１の無線通信方式に基づいて通信制御を行う。
【００４６】
＜第２の無線通信装置２００＞
第２の無線通信装置２００は、第２の送受信部２００２と、第２の接続処理部２００４と、第２の切断処理部２００６と、第２の通信制御部２００８と、記憶・読出処理部２０１０と、記憶部２０１２とを有している。これら各部は、図２に示されている第２の無線通信装置２００の各構成要素のいずれかが、第２のＲＯＭ２０６に記憶されている第２の無線通信装置用プログラムにしたがった第２のＣＰＵ２０４からの命令によって動作することで実現される機能又は手段である。
【００４７】
（セットアップ情報管理テーブル）
記憶部２０１２には、表１に示されているようなセットアップ情報管理テーブルによって構成されているセットアップ情報管理ＤＢ２０１４が構築されている。
【００４８】
【表１】
2016158002.tif 000003
セットアップ情報管理テーブルは、第３の無線通信装置３００が第１の無線通信装置１００との間で第１の無線通信方式によって接続する際に使用するＳＳＩＤ(Service Set Identifier)、セキュリティ方式、パスワードなどのネットワークの情報、ＩＰアドレス、ポート番号などのアドレス情報などの接続情報を紐付けることによって対応付けたものである。ＳＳＩＤは無線ＬＡＮの識別情報であり、セキュリティ方式はＷＥＰ、ＷＰＡ、ＷＰＡ２、ＷＰＡ２−ＴＫＩＰ、ＡＥＳなどの暗号化方式の規格によって表される。
【００４９】
（第３の無線通信装置管理テーブル）
記憶部２０１２には、表２に示されているような第３の無線通信装置管理テーブルによって構成されている第３の無線通信装置管理ＤＢ２０１６が構築されている。
【００５０】
【表２】
2016158002.tif 000004
第３の無線通信装置管理テーブルは、第３の無線通信装置３００の第２の無線通信方式におけるアドレスと、第３の無線通信装置３００の種別と、第３の無線通信装置３００のＩＰアドレスとを紐付けることによって対応付けたものである。第３の無線通信装置３００の第２の無線通信方式におけるアドレスは、第２の無線通信方式によって第３の無線通信装置３００が発見される際に取得され、第２の無線通信方式によって行われる通信範囲の特定するために使用される。第３の無線通信装置３００の第２の無線通信方式におけるアドレスの一例は、BD_ADDR、BluetoothデバイスアドレスなどのBluetoothアドレスである。第３の無線通信装置３００の種別は、スマートデバイスなどのデバイスの種類を表す。第２の無線通信装置２００は、第３の無線通信装置管理テーブルに付帯されている情報に基づいて、制御対象を選択する。
【００５１】
＜第２の無線通信装置２００の各機能部＞
次に、第２の無線通信装置２００の各部を詳細に説明する。第２の無線通信装置２００の第２の送受信部２００２は、図２に示されている第２の通信回路２０２、及び第２のＣＰＵ２０４からの命令によって実現され、第２の無線通信方式によって第３の無線通信装置３００と各種データ（情報）の送受信を行う。
【００５２】
第２の無線通信装置２００の第２の接続処理部２００４は、図２に示されている第２のＣＰＵ２０４からの命令によって実現され、第３の無線通信装置３００に送信する通信範囲情報を作成し、第２の送受信部２００２から送信する。また、第２の接続処理部２００４は、該通信範囲情報を受信した第３の無線通信装置３００によって送信される応答信号を受信した場合に、該第３の無線通信装置３００との間でペアリング処理などの接続処理を行うことによって通信を確立する。
【００５３】
第２の無線通信装置２００の第２の切断処理部２００６は、図２に示されている第２のＣＰＵ２０４からの命令によって実現される。第２の切断処理部２００６は、第１の無線通信装置１００との間で通信を行っている第３の無線通信装置３００によって送信される応答信号に第２の無線通信エリア２５０の外に現在位置があることを示す情報が付帯されている場合、切断指示情報を作成し、第２の送受信部２００２から第３の無線通信装置３００に送信する。
【００５４】
第２の無線通信装置２００の第２の通信制御部２００８は、図２に示されている第２の通信制御部２１０からの命令によって実現され、第２の接続処理部２００４によって接続処理が行われた第３の無線通信装置３００と第２の無線通信装置２００との間で、セットアップ情報を送信するなどの通信制御を行う。
【００５５】
第２の無線通信装置２００の記憶・読出処理部２０１０は、図２に示されている第２のＣＰＵ２０４からの命令、並びに一例として図２に示す第２のＲＯＭ２０６によって実現される。記憶・読出処理部２０１０は、記憶部２０１２に各種データを記憶したり、記憶部１５８に記憶された各種データを読み出す処理を行う。
【００５６】
＜第３の無線通信装置３００＞
第３の無線通信装置３００は、第２の送受信部３００２と、通信範囲判断部３００４と、第２の接続処理部３００６と、セットアップ情報取得部３００８と、第２の切断処理部３０１０と、第１の送受信部３０１６と、第１の接続処理部３０１８と、第１の切断処理部３０２０と、記憶・読出処理部３０２２と、記憶部３０２４と、タイマ３０２８とを有している。これら各部は、図３に示されている第３の無線通信装置３００の各構成要素のいずれかが、第３のＲＯＭ３０６に記憶されている第１の無線通信部用プログラムおよび第４のＲＯＭ３１８に記憶されている第２の無線通信部用プログラムのいずれか一方または両方にしたがった第３のＣＰＵ３０６および第４のＣＰＵ３１６のいずれか一方または両方からの命令によって動作することで実現される機能又は手段である。
【００５７】
（第３の無線通信装置管理テーブル）
記憶部３０２４には、第３の無線通信装置管理テーブルによって構成されている第３の無線通信装置管理ＤＢ３０２６が構築されている。第３の無線通信装置管理テーブルは、上述した表２を適用できる。
【００５８】
＜第３の無線通信装置３００の各機能部＞
次に、第３の無線通信装置３００の各部を詳細に説明する。
【００５９】
第３の無線通信装置３００の第２の送受信部３００２は、図３に示されている第４の通信回路３１４、及び第４のＣＰＵ３１６からの命令によって実現され、第２の無線通信方式によって第２の無線通信装置２００と各種データ（情報）の送受信を行う。
【００６０】
第３の無線通信装置３００の通信範囲判断部３００４は、図３に示されている第４のＣＰＵ３１６からの命令によって実現され、第２の無線通信装置２００によって送信される通信範囲情報と、該通信範囲情報の受信信号強度を距離に換算したものを比較することによって、第２の無線通信エリア２５０に現在位置があるか否かを判断し、第２の無線通信エリア２５０に現在位置があるか否かを表す情報を付帯した応答信号を作成し、第２の送受信部３００２から第２の無線通信装置２００に送信する。
【００６１】
第３の無線通信装置３００の第２の接続処理部３００６は、図３に示されている第４のＣＰＵ３１６からの命令によって実現され、第２の無線通信装置２００との間で、第２の無線通信方式によって接続処理を行う。
【００６２】
第３の無線通信装置３００のセットアップ情報取得部３００８は、図３に示されている第４のＣＰＵ３１６からの命令によって実現され、第２の接続処理部３００６によって接続処理が行われた第２の無線通信装置２００によって送信されるセットアップ情報を第２の送受信部３００２から取得する。
【００６３】
第３の無線通信装置３００の第２の切断処理部３０１０は、図３に示されている第４のＣＰＵ３１６からの命令によって実現される。第２の切断処理部３０１０は、第２の無線通信装置２００との間における第２の無線通信方式による通信を切断する。
【００６４】
第３の無線通信装置３００のタイマ３０２８は、図３に示されている第４のＣＰＵ３１６からの命令によって実現される。タイマ３０２８は、第２の無線通信装置２００によって送信される通信範囲情報が第２の送受信部３００２によって受信されなくなってからの経過時間を計測する。
【００６５】
第３の無線通信装置３００の第１の送受信部３０１６は、図３に示されている第3の通信回路３０４、及び第３のＣＰＵ３０６からの命令によって実現され、第１の無線通信方式によって第１の無線通信装置１００と各種データ（情報）の送受信を行う。
【００６６】
第３の無線通信装置３００の第１の接続処理部３０１８は、図３に示されている第３のＣＰＵ３０６からの命令によって実現され、第１の無線通信装置１００との間で、第１の無線通信方式によって接続処理を行う。
【００６７】
第３の無線通信装置３００の第１の切断処理部３０２０は、図３に示されている第３のＣＰＵ３０６からの命令によって実現される。第１の切断処理部３０２０は、第１の無線通信装置１００との間における第１の無線通信方式による通信を切断する。第２の切断処理部３０１０は、第２の無線通信装置２００によって送信される通信範囲情報が第２の送受信部３００２によって受信された後、所定のタイミングが経過しても受信できない場合に、タイマ３０２８をリセットし、起動する。第２の切断処理部３０１０は、タイマ３０２８の値に基づいて、所定の時間が経過しても第２の送受信部３００２によって通信範囲情報が受信されない場合、第１の無線通信装置１００との間の通信を切断する。
【００６８】
第３の無線通信装置３００の記憶・読出処理部３０２２は、図３に示されている第３のＣＰＵ３０６、および第４のＣＰＵ３１６からの命令、並びに一例として図３に示す第３のＲＯＭ３０８、および第４のＲＯＭ３１８によって実現される。記憶・読出処理部３０２２は、記憶部３０２４に各種データを記憶したり、記憶部３０２４に記憶された各種データを読み出す処理を行う。
【００６９】
＜無線通信システムの動作＞
図７は、無線通信システムの動作を示す。図７では、第２の無線通信エリア２５０が第２の無線通信装置２００によって送信される電波が到達する範囲によって形成されるエリアに近付けられている。その結果、第３の無線通信装置３００ａは第２の無線通信エリア２５０の中心付近から周辺に移動するにしたがって、通信範囲情報を該第２の無線通信装置２００によって送信される電波の到達する境界近傍で受信するようになる。
【００７０】
図５のステップＳ１１−Ｓ１２の処理が所定のタイミングで行われている状態で、例えば、第３の無線通信装置３００ａは第２の無線通信エリア２５０の中心付近から周辺に移動することによって、第２の無線通信装置２００によって送信される通信範囲情報を受信できなくなる。
【００７１】
ステップＳ２１では、第２の無線通信装置２００の第２の送受信部２００２は、通信範囲情報を送信するが、その通信範囲情報は第３の無線通信装置３００に受信されない。
【００７２】
ステップＳ２２では、第３の無線通信装置３００は、第２の無線通信装置２００によって送信される通信範囲情報を受信できないため、その応答を送信できない。第１の切断処理部３０２０は、所定のタイミングで通信範囲情報を受信できないため、タイマ３０２８をリセットし、起動する。
【００７３】
ステップＳ２３では、第２の無線通信装置２００の第２の送受信部２００２は、通信範囲情報を送信するが、その通信範囲情報は第３の無線通信装置３００に受信されない。
【００７４】
ステップＳ２４では、第３の無線通信装置３００は、第２の無線通信装置２００によって送信される通信範囲情報を受信できないため、その応答を送信できない。第１の切断処理部３０２０は、すでにタイマ３０２８を起動しているため、その起動した状態を継続する。
【００７５】
ステップＳ２５では、第３の無線通信装置３００の第１の切断処理部３０２０は、タイマ３０２８の値に基づいて、予め設定される時間閾値が経過したことを検出する。第１の切断処理部３０２０は、第１の送受信部３０１６から第１の無線通信装置１００に切断指示を送信する。
【００７６】
ステップＳ２６では、第１の無線通信装置１００の第１の切断処理部１００６は、第２の無線通信装置２００によって送信された切断指示にしたがって、第２の無線通信装置２００との間の通信を切断する処理を行う。
【００７７】
ステップＳ２７では、第３の無線通信装置３００の第１の切断処理部３０２０は、第１の無線通信装置１００との間の通信を切断する処理を行う。
【００７８】
図７に示すシーケンスチャートにおいて、ステップＳ２５を行わずに、ステップＳ２７を行うようにしてもよい。ステップＳ２７を行うことによって、第３の無線通信装置３００と第１の無線通信装置１００との間は第１の無線通信方式にしたがって通信が行われているため、第３の無線通信装置３００によって第１の無線通信方式の切断処理が行われることによって、第１の無線通信装置１００においても切断処理が行われる。
【００７９】
本実施の形態によれば、第３の無線通信装置３００は、第２の無線通信装置によって送信される通信範囲情報が時間閾値が経過しても受信できない場合に、第１の無線通信装置１００との間の通信を切断する処理を行う。これによって、第２の無線通信装置２００によって送信される切断指示を受信できないことによって第１の無線通信装置１００と接続されたままになることがないので、セキュリティを向上できる。
【００８０】
また、第２の無線通信エリア２５０を第２の無線通信装置２００によって送信される電波が到達する範囲によって形成されるエリアに近付けることによって、第３の無線通信装置３００において、第２の無線通信エリア２５０に位置するか否かの判断結果が変動する場合であっても、その変動に応じて切断処理と接続処理とが繰り返されることを防止できる。
【００８１】
＜変形例（その１）＞
本変形例に係る無線通信システムは、第１の実施の形態において、第１の無線通信装置１００との間で通信を行っている第３の無線通信装置３００は、通信範囲情報を受信してから予め設定される第１の時間閾値が経過しても通信範囲情報を受信せず、且つ第１の無線通信装置１００との間でデータの送受信を行われなくなってから予め設定される第２の時間閾値が経過した場合に第１の無線通信装置１００との間の通信を切断する。ここで、データは、無線リンクを確立するためのデータではなく、音声、映像、転送ファイルなどのアプリケーションレベルでのデータである。
【００８２】
仮に、第１の無線通信装置１００との間でデータの送受信が行われている状態で、通信範囲情報を受信してから予め設定される第１の時間閾値が経過したことによって切断された場合には、そのデータの送受信を継続するために、第３の無線通信装置３００と第１の無線通信装置１００との間で新たに接続処理が行われる。本変形例によれば、第１の無線通信装置１００との間でデータの送受信を行われなくなってから予め設定される第２の時間閾値が経過した場合に第１の無線通信装置１００との間の通信を切断するため、新たな接続処理が行われることが無くなる。このため、不要なネットワークの生成が排除されるため、セキュリティを向上させることができる。
【００８３】
＜変形例（その２）＞
本変形例に係る無線通信システムは、第１の実施の形態において、第１の無線通信装置１００との間で通信を行っている第３の無線通信装置３００は、通信範囲情報を受信してから予め設定される第１の時間閾値が経過しても通信範囲情報を受信せず、且つ第３の無線通信装置３００が使用されなくなってから予め設定される第３の時間閾値が経過した場合に第１の無線通信装置１００との間の通信を切断する。例えば、第３の無線通信装置３００に加速度センタを搭載し、該加速度センタによって計測される加速度の変位量が予め設定される所定の変位量閾値以下となった場合に第３の無線通信装置３００が使用されなくなったと判断する。
【００８４】
仮に、第３の無線通信装置３００が使用されている状態で、通信範囲情報を受信してから予め設定される第１の時間閾値が経過したことによって切断された場合には、第３の無線通信装置３００を使用するために、第３の無線通信装置３００と第１の無線通信装置１００との間で新たに接続処理が行われることになる。本変形例によれば、第３の無線通信装置３００が使用されなくなってから予め設定される第３の時間閾値が経過した場合に第１の無線通信装置１００との間の通信を切断するため、新たな接続処理が行われることが無くなる。このため、不要なネットワークの生成が排除されため、セキュリティを向上させることができる。
【００８５】
＜変形例（その３）＞
本変形例に係る無線通信システムは、第１の実施の形態において、第１の無線通信装置１００との間で通信を行っている第３の無線通信装置３００は、通信範囲情報を受信してから予め設定される第１の時間閾値が経過しても通信範囲情報を受信せず、且つ第３の無線通信装置３００にインストールされたアプリケーションが使用されなくなってから予め設定される第４の時間閾値が経過した場合に第１の無線通信装置１００との間の通信を切断する。
【００８６】
仮に、第３の無線通信装置３００にインストールされたアプリケーションが使用されている状態で、通信範囲情報を受信してから予め設定される第１の時間閾値が経過したことによって切断された場合には、第３の無線通信装置３００にインストールされたアプリケーションを使用するために、第３の無線通信装置３００と第１の無線通信装置１００との間で新たに接続処理が行われることになる。本変形例によれば、第３の無線通信装置３００にインストールされたアプリケーションが使用されなくなってから予め設定される第４の時間閾値が経過した場合に第１の無線通信装置１００との間の通信を切断するため、新たな接続処理が行われることが無くなる。このため、不要なネットワークの生成が排除されるため、セキュリティを向上させることができる。
【００８７】
＜変形例（その４）＞
本変形例に係る無線通信システムは、第１の実施の形態において、第１の無線通信装置１００との間で通信を行っている第３の無線通信装置３００は、通信範囲情報を受信してから予め設定される第１の時間閾値が経過しても通信範囲情報を受信せず、且つ第３の無線通信装置３００にユーザによって切断操作が行われた場合に第１の無線通信装置１００との間の通信を切断する。つまり、第３の無線通信装置３００のユーザが意図的に切断操作を行った場合に、第１の無線通信装置１００との間の通信を切断する。第３の無線通信装置３００を利用するユーザにネットワークを生成する権限を持たせることができるため、不要な切断処理を防止できる。
【００８８】
＜変形例（その５）＞
本変形例に係る無線通信システムは、第１の実施の形態において、時間閾値を第２の無線通信装置２００によって送信される通信範囲情報の送信周期よりも長い時間に設定する。第２の無線通信装置２００は、１００ｍｓ間隔で通信範囲情報を送信することが多い。第３の無線通信装置３００は、通信範囲情報を受信することによって第２の無線通信エリア２５０に位置するか否かを判断するため、通信範囲情報の送信周期にしたがって判断する。しかし、第３の無線通信装置３００と第１の無線通信装置１００との間で接続処理が行われた後では、第２の無線通信エリア２５０から退出したか否かを判断する処理は、通信範囲情報を送信する周期よりも長い周期で行っても影響は小さいと想定される。具体的には、第３の無線通信装置３００が第２の無線通信エリア２５０から退出したか否かを判断する時間閾値を１秒から５秒程度に予め設定することが可能である。これによって、第２の無線通信エリア２５０に頻繁に出入りするユーザがいたとしても、秒単位で判定すれば、本当に退出したかどうかがわかる。仮に、時間閾値を短い時間に設定した場合、ユーザが第２の無線通信エリア２５０に頻繁に出入りすることで通信範囲情報を受信できないことが頻繁に起きると、ユーザが第２の無線通信エリア２５０から退出したか否かの判定が頻繁ん変わる。時間閾値を長い時間に設定することによって、ユーザの移動速度に基づいて、第２の無線通信エリア２５０に位置するか否かを判断できる。これによって、第３の無線通信装置３００が第２の無線通信エリア２５０に位置するか否かを判定する精度を向上させることができる。
【００８９】
＜変形例（その６）＞
図８は、本変形例に係る無線通信システムを示す。本変形例に係る無線通信システムは、第１の無線通信装置１００と、第２の無線通信装置２００ａ−２００ｂと、第３の無線通信装置３００ａ−３００ｅとを有する。
【００９０】
第１の無線通信装置１００は、無線ＬＡＮなどの第１の無線通信方式によって第１の無線通信エリア１５０を形成する。第２の無線通信装置２００ａは、第１の無線通信エリア１５０内に、ブルートゥース（登録商標）などの近距離無線通信などの第２の無線通信方式によって該第１の無線通信エリア１５０よりも狭い第２の無線通信エリア２５０ａを形成する。第２の無線通信装置２００ｂは、第１の無線通信エリア１５０内に、ブルートゥース（登録商標）などの近距離無線通信などの第２の無線通信方式によって該第１の無線通信エリア１５０よりも狭い第２の無線通信エリア２５０ｂを形成する。図８に示される例では、第２の無線通信エリア２５０ａ、および２５０ｂは、第１の無線通信エリア１５０に包含され、第２の無線通信エリア２５０ａと第２の無線通信エリア２５０ｂは、重複しない。
【００９１】
第３の無線通信装置３００ａ、および３００ｂは、第１の無線通信エリア１５０と第２の無線通信エリア２５０ａとが重複するエリアに位置するため、第２の無線通信装置２００ａによって送信されるセットアップ情報を取得でき、該セットアップ情報を使用して第１の無線通信装置１００との間で接続処理を行うことができる。第３の無線通信装置３００ｄ、および３００ｅは、第１の無線通信エリア１５０と第２の無線通信エリア２５０ｂとが重複するエリアに位置するため、第２の無線通信装置２００ｂによって送信されるセットアップ情報を取得でき、該セットアップ情報を使用して第１の無線通信装置１００との間で接続処理を行うことができる。第３の無線通信装置３００ｃは、第１の無線通信エリアに位置するが重複エリアに位置しないため、第２の無線通信装置２００によって送信されるセットアップ情報を取得できず、第１の無線通信装置１００との間で接続処理を行うことができない。
【００９２】
第１の無線通信装置１００、および第２の無線通信装置２００のハードウェア構成は図２を適用でき、第３の無線通信装置３００のハードウェア構成は図３を適用できる。第１の無線通信装置１００、第２の無線通信装置２００、および第３の無線通信装置３００は、図６を適用できる。
【００９３】
第１の無線通信装置１００は、第２の無線通信エリア２５０ａに位置する第３の無線通信装置３００ａおよび３００ｂとの間、第２の無線通信エリア２５０ｂに位置する第３の無線通信装置３００ｄおよび３００ｅとの間で通信を行っている。この状態で、第２の無線通信エリア２５０ａに位置する第３の無線通信装置３００ａおよび３００ｂとの間の通信を終了させる場合、第２の無線通信装置２００は、通信範囲情報の送信を停止する。これによって、第２の無線通信エリア２５０ａに位置する第３の無線通信装置３００ａおよび３００ｂは、通信範囲情報を受信できないため時間閾値が経過することによって第３の無線通信装置３００ａおよび３００ｂのＭＡＣアドレスを削除するなどの切断処理を行う。第３の無線通信装置３００ａおよび３００ｂによって切断処理が行われた後、第２の無線通信装置２００の電源を落とすことができる。
【００９４】
これによって、第１の無線通信エリア１５０に第２の無線通信エリア２５０ａおよび２５０ｂが包含されている場合に、第２の無線通信エリア２５０ａおよび２５０ｂのうちいずれか一方の通信を終了をセキュリティを維持したままで実現できる。
【００９５】
第１の無線通信装置１００、第２の無線通信装置２００ａおよび２００ｂが一つの装置で実現されている場合には、第２の無線通信装置２００ａの電源を落とすことによっても上述した処理を行うことができる。
【００９６】
本発明は特定の実施例、変形例を参照しながら説明されてきたが、各実施例、変形例は単なる例示に過ぎず、当業者は様々な変形例、修正例、代替例、置換例等を理解するであろう。説明の便宜上、本発明の実施例に従った装置は機能的なブロック図を用いて説明されたが、そのような装置はハードウェアで、ソフトウエアでまたはそれらの組み合わせで実現されてもよい。本発明は上記実施例に限定されず、本発明の精神から逸脱することなく、様々な変形例、修正例、代替例、置換例等が包含される。
【符号の説明】
【００９７】
１００  第１の無線通信装置
１５０  第１の無線通信エリア
２００、２００ａ、２００ｂ  第２の無線通信装置
２５０、２５０ａ、２５０ｂ  第２の無線通信エリア
３００ａ−３００ｅ  第３の無線通信装置
１００２  第１の送受信部
１００４  第１の接続処理部
１００６  第１の切断処理部
１００８  第１の通信制御部
２００２  第２の送受信部
２００４  第２の接続処理部
２００６  第２の切断処理部
２００８  第２の通信制御部
２０１０  記憶・読出処理部
２０１２  記憶部
２０１４  セットアップ情報管理ＤＢ
２０１６  第３の無線通信装置管理ＤＢ
３００２  第２の送受信部
３００４  通信範囲判断部
３００６  第２の接続処理部
３００８  セットアップ情報取得部
３０１０  第２の切断処理部
３０１６  第１の送受信部
３０１８  第１の接続処理部
３０２０  第１の切断処理部
３０２２  記憶・読出処理部
３０２４  記憶部
３０２６  第３の無線通信装置管理ＤＢ
３０２８  タイマ
【先行技術文献】
【特許文献】
【００９８】
【特許文献１】特開２０１２−６５２０８号公報
【図１】
2016158002.tif 000005
【図２】
2016158002.tif 000006
【図３】
2016158002.tif 000007
【図４】
2016158002.tif 000008
【図５】
2016158002.tif 000009
【図６】
2016158002.tif 000010
【図７】
2016158002.tif 000011
【図８】
2016158002.tif 000012